(57)【要約】【課題】この発明はヘッドボード体のクッション体を傾斜させてリクライニング用として利用できるようにしたベッド装置を提供することにある。【解決手段】フレーム１と、フレームの長手方向に沿って移動可能に設けられ上面にマットレス９が載置される載置体３と、フレームの長手方向一端に設けられたヘッドボード体１５とを具備し、  ヘッドボード体は、フレームの長手方向一端に立設された固定部１８と、固定部の前面に上下方向に変位しながら前後方向に回動可能に設けられ載置体がフレームの長手方向に沿って移動することで、載置体の動きに連動して垂直に起立した状態から下降しながら下端が前方に移動して傾斜するクッション体２５とによって構成されている。【選択図】      図１
2006296787.tif 000002
【特許請求の範囲】
【請求項１】
フレームと、
このフレームの長手方向に沿って移動可能に設けられ上面にマットレスが載置される載置体と、
上記フレームの長手方向一端に設けられたヘッドボード体とを具備し、
上記ヘッドボード体は、
上記フレームの長手方向一端に立設された固定部と、
この固定部の前面に上下方向に変位しながら前後方向に回動可能に設けられ上記載置体が上記フレームの長手方向に沿って移動することで、上記載置体の動きに連動して垂直に起立した状態から下降しながら下端が前方に移動して傾斜する背凭れ体と
によって構成されていることを特徴とするベッド装置。
【請求項２】
上記背凭れ体は、下端部が上記載置体の長手方向一端に回動可能に連結されているとともに、上下方向中途部の背面にリンクの一端が回動可能に連結され、このリンクの他端は上記固定部に回動可能に連結されていて、
上記リンクは上記背凭れ体が回動して傾斜したときにこの背凭れ体を傾斜した状態で支持することを特徴とする請求項１記載のベッド装置。
【請求項３】
上記載置体が上記フレームに対して移動して上記背凭れ体が所定の角度に傾斜したときに、上記載置体が上記フレームに対してそれ以上移動するのを阻止する第１のストッパ手段が設けられていることを特徴とする請求項１記載のベッド装置。
【請求項４】
上記載置体の上記ヘッドボード体側に位置する一端部には、上記背凭れ体が垂直に起立した状態で、上記フレームに係合して上記載置体を移動不能に保持する第２のストッパ手段が設けられ、この第２のストッパ手段には上記フレームとの係合を解除する操作部材が設けられていることを特徴とする請求項１記載のベッド装置。
【請求項５】
上記載置体を上記フレームに対して移動させて上記背凭れ体を所定の角度に傾斜させたときに、上記載置体の移動に連動して上記ヘッドボード体の前面と上記載置体の一端面との間に形成される空間部の幅方向両側の開口部を閉塞するカバーが設けられていることを特徴とする請求項１記載のベッド装置。
【発明の詳細な説明】
【技術分野】
【０００１】
この本発明はヘッドボード体を利用して利用者の上半身を所定の傾斜角度で保持できるようにしたベッド装置に関する。
【背景技術】
【０００２】
ベッド装置には、マットレスが載置される床板の、利用者の上半身に対応する部分を起伏可能に設け、この起伏可能な部分を背上げ機構によって起伏駆動できるようにした、いわゆる背上げ式のベッド装置が知られている。このような起伏式のベッド装置によれば、利用者はマットレス上で仰臥した状態で上半身を起こすことができるから、その状態でテレビを見たり、読書ができるなどのことがあり、非常に便利である。
【０００３】
しかしながら、床板の一部を起上させるようにすると、その起上に伴いマットレスが屈曲されることになる。通常、マットレスはスプリングユニットを用いて構成されている。スプリングユニットを構成するばねとしては、コイルばねや連続ばねが用いられる。連続ばねは、一本の鋼線によって軸線を平行にした複数のコイル部及び隣り合うコイル部の上端と下端とを連結する連結杆が連続して形成されている。
【０００４】
いずれのばねを用いて形成されたスプリングユニットであっても、その上下面の周縁部に枠線が設けられ、この枠線によってスプリングユニットの周辺部を補強している。そのため、そのような構成のスプリングユニットが用いられたマットレスを、起上される床板によって屈曲させようとしても、屈曲時の抵抗が非常に大きいため、確実に屈曲させることができなかったり、早期に損傷し易いなどのことがあった。
【０００５】
とくに、連続ばねを用いたスプリングユニットは、枠線だけでなく、隣り合うコイル部を連続させる連結杆が屈曲時の抵抗になるから、コイルばねを用いたスプリングユニットに比べて屈曲抵抗が著しく大きいということがあった。
【０００６】
そこで、床板を起上させてマットレスを屈曲させる代わりに、ヘッドボード体の前面に背凭れ体を回動可能に設け、この背凭れ体を所定の傾斜角度で保持できるようにすることで、利用者がマットレス上で上半身を起こした姿勢を維持できるようにしたベッド装置が提案されている。
【０００７】
このような従来技術は特許文献１に示されている。すなわち、特許文献１に示されたベッド装置はヘッドボード体を備えている。このヘッドボード体は本体部を有し、この本体部にはアームの一端が回動可能に連結されている。アームの他端には背凭れ体が回動可能に連結されている。そして、上記背凭れ体は、上記本体部に収容された状態と、マットレス上で所定の角度で傾斜した状態とで保持できるようになっている。
【０００８】
したがって、上記背凭れ体をマットレス上で所定の角度で傾斜させて保持すれば、利用者はこの背凭れ体に寄り掛かることで上半身を起こした姿勢をとることができるというものである。
【特許文献１】特開２００１−３５３０４３号公報
【発明の開示】
【発明が解決しようとする課題】
【０００９】
しかしながら、特許文献１に示されたベッド装置によると、背凭れ体を利用するときには、アームを回動させながら上記背凭れ体をヘッドボード体の収容部からマットレス上に移動させる。そして、このマットレスの上面に背凭れ体の下端を当接させて所定の角度に傾斜させ、その傾斜状態を上記アームで保持して使用することになる。
【００１０】
そのため、利用者が背凭れ体に寄り掛かると、その利用者の上半身の荷重が背凭れ体の下端からマットレスの上面に加わることになるから、マットレスが早期に損傷し易いということがあった。
【００１１】
しかも、背凭れ体は、マットレス上で傾斜させたときに、その上端がアーム体によって支持されているだけである。そのため、利用者が背凭れ体に寄り掛かったときに、下端がマットレス上でずれ動いて安定性が悪いということもある。
【００１２】
また、利用者がマットレス上にいる状態、とくにヘッドボードに近い位置にいると、上記ヘッドボードに収容された上記背凭れ体を引き出し難い。そのため、背凭れ体を引き出すときには、利用者はマットレス上から降りなければならないことがあるから、そのような場合には上記背凭れ体を利用し難いということがある。
【００１３】
この発明は、利用者が傾斜した背凭れ体に寄り掛かっても、その荷重がマットレスに加わったり、傾斜状態がずれ動くなどのことがなく、しかも利用者がマットレス上に居ながら上記背凭れ体を垂直な状態から容易に傾斜させることができるベッド装置を提供することにある。
【課題を解決するための手段】
【００１４】
この発明は、フレームと、
このフレームの長手方向に沿って移動可能に設けられ上面にマットレスが載置される載置体と、
上記フレームの長手方向一端に設けられたヘッドボード体とを具備し、
上記ヘッドボード体は、
上記フレームの長手方向一端に立設された固定部と、
この固定部の前面に上下方向に変位しながら前後方向に回動可能に設けられ上記載置体が上記フレームの長手方向に沿って移動することで、上記載置体の動きに連動して垂直に起立した状態から下降しながら下端が前方に移動して傾斜する背凭れ体と
によって構成されていることを特徴とするベッド装置にある。
【００１５】
上記背凭れ体は、下端部が上記載置体の長手方向一端に回動可能に連結されているとともに、上下方向中途部の背面にリンクの一端が回動可能に連結され、このリンクの他端は上記固定部に回動可能に連結されていて、
上記リンクは上記背凭れ体が回動して傾斜したときにこの背凭れ体を傾斜した状態で支持することが好ましい。
【００１６】
上記載置体が上記フレームに対して移動して上記背凭れ体が所定の角度に傾斜したときに、上記載置体が上記フレームに対してそれ以上移動するのを阻止する第１のストッパ手段が設けられていることが好ましい。
【００１７】
上記載置体の上記ヘッドボード体側に位置する一端部には、上記背凭れ体が垂直に起立した状態で、上記フレームに係合して上記載置体を移動不能に保持する第２のストッパ手段が設けられ、この第２のストッパ手段には上記フレームとの係合を解除する操作部材が設けられていることが好ましい。
【００１８】
上記載置体を上記フレームに対して移動させて上記背凭れ体を所定の角度に傾斜させたときに、上記載置体の移動に連動して上記ヘッドボード体の前面と上記載置体の一端面との間に形成される空間部の幅方向両側の開口部を閉塞するカバーが設けられていることが好ましい。
【発明の効果】
【００１９】
この発明によれば、フレームに移動可能に設けられた載置体を移動させると、この載置体の動きに連動してヘッドボード体の背凭れ体が上記ヘッドボード体の固定部と上記載置体とに保持されて垂直な状態から所定の角度で傾斜する。
【００２０】
そのため、傾斜した背凭れ体に利用者が寄り掛かっても、その荷重がマットレスに加わることがないばかりか、傾斜状態がずれ動くということもなく、さらに利用者が背凭れ体に寄り掛かりながらマットレスを介して載置体を移動させて上記背凭れ体を傾斜させることができる。
【発明を実施するための最良の形態】
【００２１】
以下、この発明の一実施の形態を図面を参照して説明する。  
図１と図２はこの発明のベッド装置を示す斜視図であって、このベッド装置は矩形状のフレーム１を備えている。このフレーム１の両側内面には前後方向に沿ってレール部材２（一方のみ図示）が設けられている。
【００２２】
上記フレーム１の上面には、このフレーム１の平面形状とほぼ同じ大きさの矩形状をなした載置体３が設けられている。図３乃至図５に示すように、この載置体３の両側下面の一端部と他端部とにはそれぞれキャスタ４が設けられている。幅方向両側に位置するそれぞれ一対のキャスタ４は上記フレーム１の幅方向両側内面に設けられたレール部材２に沿って転動可能となっている。それによって、上記載置体３は上記フレーム１の長手方向に沿って移動可能になっている。
【００２３】
図３と図４に示すように、上記載置体３の長手方向一端部の下面には、この載置体３の幅方向に沿って第１の横桟５が設けられている。この第１の横桟５は上記フレーム１の両側内面間の幅寸法よりもわずかに短く設定されている。上記フレーム１の一端部の両側内面には上記横桟５とで第１のストッパ手段を構成する第１の当接部材６が設けられている。
【００２４】
上記載置体３の長手方向他端部の下面には、この載置体３の幅方向に沿って第２の横桟７が設けられている。この第２の横桟７は上記フレーム１の両側内面間の幅寸法よりもわずかに短く設定されている。上記フレーム１の他端部の両側内面には第２の当接部材８が設けられている。
【００２５】
図４に示すように、上記載置体３を上記フレーム１の一端部方向へ所定距離移動させると、上記第１の横桟５の両端部が上記第１の当接部材６に当たって上記載置体３がそれ以上移動するのを阻止する。上記載置体３を上記フレーム１の他端部方向へ移動させると、上記第２の横桟７の両端部が上記第２の当接部材８に当たって上記載置体３がそれ以上移動するのを阻止する。
【００２６】
上記載置体３の上面にはマットレス９が載置される。このマットレス９は、上記載置体３の長手方向一端部と他端部に設けられた第１のずれ止め部材１１と第２のずれ止め部材１２とによって載置体３の上面で長手方向に沿ってずれ動かないように保持されている。
【００２７】
上記第１のずれ止め防止部材１１は、棒鋼などの線材を側面形状がクランク状になるよう曲成し、その両端部を上記載置体３に埋設して設けられている。それによって、上記載置体３の上面側に突出した部分が上記マットレス９の長手方向の一端面に当接する。
【００２８】
上記第２のずれ止め防止部材１２は上記載置体３とほぼ同じ幅寸法の板材であって、下端部を上記載置体３の長手方向他端面に連結固定して設けられている。それによって、この第２のずれ止め防止部材１２の一側面が上記マットレス９の長手方向の他端面に当接する。
【００２９】
上記フレーム１の長手方向の他端にはヘッドボード体１５が設けられている。このヘッドボード体１５は背板１６及びこの背板１６の幅方向両端に設けられた側板１７とによって前面が開放した箱型状の固定部１８を有する。上記背板１６及び側板１７の下端は上記フレーム１の長手方向他端面に連結部材１９によって連結され、上端には幅方向全長にわたって頭部クッション２１が設けられている。
【００３０】
図５に示すように、上記背板１６の内面の幅方向両端部で、高さ方向中途部にはアングル状の一対の取付け具２２（一方のみ図示）が設けられている。一対の取付け具２２にはパイプ材をコ字状に曲成したリンク２３の両側先端が回動可能に取り付けられている。
【００３１】
上記載置体３に設けられた上記第２のずれ止め部材１２の他側面の幅方向両端部にはパイプ材をコ字状に曲成した保持部材２４の両側部が取付け固定されている。上記リンク２３と上記保持部材２４とには背凭れ体としてのクッション体２５が取り付けられている。このクッション体２５と上記固定部１８とで上記ヘッドボード体１５を構成している。
【００３２】
すなわち、上記クッション体２５は基板２６の前面に弾性材２７が設けられ、この弾性材２７が外装地２８によって被覆されている。上記基板２６の背面の高さ方向中途部と下端部との幅方向両端部にはそれぞれ一対のフック部材２９（１つのみ図示）が設けられている。
【００３３】
高さ方向中途部に設けられた一対のフック部材２９は上記リンク２３の中途部に回動可能に連結され、下端部に設けられた一対のフック部材２９は上記保持部材２４の中途部に回動可能に連結されている。
【００３４】
図１、図３及び図５に示すように、上記載置体３がフレーム１に対して移動していないときには、上記クッション体２５はほぼ垂直に起立して箱型状の固定部１８の前面開口を閉塞する状態にある。
【００３５】
上記載置体３が図２と図４に示すようにフレーム１に対して移動すると、クッション体２５は保持部材２４に連結された下端が載置体３の移動に連動して前方に移動しながら回動して傾斜する。このとき、リンク２３はクッション体２５の回動方向と逆方向に回動する。それによって、クッション体２５は載置体３の一端部下面に設けられた第１の横桟５がフレーム１に設けられた第１の当接部材６に当たるまで、傾斜方向に回動しながら下降することになる。
【００３６】
図４に示すように、上記ヘッドボード体１５の固定部１８の一対の側板１７の内面と、上記第２のずれ止め防止部材１２の両端面とにはそれぞれカバー３０（一方のみ図示）の幅方向一端と他端とが取付け固定されている。
【００３７】
上記カバー３０は載置体３がフレーム１に対して移動していないときには蛇腹状に折り畳まれて固定部１８内に収容され、図２と図４に示すように載置体３が前方へ移動すると、その移動に連動して伸びて傾斜したクッション体２５の下面側に形成される空間部の幅方向両端の開口を閉塞する。それによって、リンク２３や保持部材２４が外部に露出しないようになっている。
【００３８】
図５に示すように、上記載置体３の長手方向の他端面である、上記第２のずれ止め防止部材１２の他側面の下端部には第２のストッパ手段を構成する保持具３１が設けられている。この保持具３１はケース３２を有し、このケース３２にはストッパ３３が図示しないばねによってその先端部をケース３２の下端から突出する方向に付勢されてスライド可能に設けられている。ストッパ３３の先端は一方の面が傾斜面で、他方の面が垂直面となっている。
【００３９】
上記ケース３２は上記第２のずれ止め防止部材１２の他側面の下端部に取付け固定されている。図５に示すように、上記載置体３が上記フレーム１に対して移動していない状態では、上記ストッパ３３の先端の垂直面を上記フレーム１の端面に設けられた係止金具３４に係合させている。それによって、上記載置体３は前進方向へ移動不能となっている。
【００４０】
なお、ストッパ３３がフレーム１に係合した状態において、上記載置体３の後退方向（ヘッドボード体１５側）への移動は第２の横桟７が第２の当接部材８に当たることで規制される。つまり、載置体３はストッパ３３がフレーム１に係合した状態では前後方向どちらにも移動しないようになっている。
【００４１】
上記ストッパ３３の後端には帯紐状の操作部材３５の一端が連結されている。この操作部材３５の他端部はループ状に形成されていて、上記マットレス９の上面に導出されている。この操作部材３５を引けば、上記ストッパ３３がばねの付勢力に抗してスライドし、その先端がフレーム１の端面に設けられた係止金具３４から外れる。それによって、上記載置体３はフレーム１に対して移動可能となる。
【００４２】
このような構成のベッド装置によれば、ヘッドボード体１５のクッション体２５を図１、図３及び図５に示すようにほぼ垂直に起立させた状態或いは図２と図４に示すように下端が前方に向かって移動した傾斜状態のいずれかの状態で使用することができる。
【００４３】
クッション体２５がほぼ垂直に起立した状態では、第２のストッパ手段を構成するストッパ３３が図５に示すようにフレーム１の端面に係合し、第２の横桟７が第２の当接部材８に当接している。それによって、マットレス９が載置された載置体３はフレーム１上で前後いずれの方向にも移動不能に位置決め保持されるから、上記クッション体２５がほぼ垂直に起立した状態が維持される。
【００４４】
クッション体２５が垂直な状態のベッド装置は、利用者がマットレス９上で就寝したり、マットレス９上で上半身を起こし、上記クッション体２５に寄り掛かって読書をするなどして利用することができる。
【００４５】
上記クッション体２５をほぼ垂直に起立させた状態で、そのクッション体２５に利用者が寄り掛かる場合、利用者は上半身をほぼ直角に起こした姿勢となるため、その姿勢を長時間にわたって維持すると疲れ易いということがある。
【００４６】
そのような場合にはマットレス９上に導出された操作部材３５を引く。それによって、フレーム１の端面の係止金具３４に係合したストッパ３３が図示しないばねの付勢力に抗して上昇方向に移動し、上記係止金具３４との係合が外れるから、その状態で利用者は頭部を頭部クッション２１に当てた状態でクッション体２５に寄り掛かり、上半身が後方へ倒れるよう、臀部によってマットレス９を前方に移動させるようにすれば、そのマットレス９とともに載置体３がフレーム１上を前方へ移動することになる。
【００４７】
図２と図４は載置体３が前方へ移動した状態を示す。載置体３が前方へ移動すると、図４に示すように載置体３の長手方向の他端に設けられた保持部材２４にフック部材２９によって下端部が回動可能に連結されたクッション体２５が連動し、下端が前方へ移動する。
【００４８】
クッション体２５の下端部が前方へ移動すると、リンク２３が取付け具２２に支持された両側先端部を支点として図５に示す起立した状態から倒伏方向へ回動する。つまり、リンク２３がクッション体２５と逆方向に回動する。
【００４９】
それによって、クッション体２５は起立状態から倒伏方向へ回動しながら上端が下降し、図４に示すように所定の傾斜角度で傾斜し、リンク２３と保持部材２４とによって傾斜状態で保持される。この状態で、第１の横桟５が第１の当接部材６に当接し、載置体３がそれ以上前方へ移動するのが阻止される。
【００５０】
したがって、利用者は傾斜したクッション体２５に寄り掛かることで、上半身を後方へ倒して楽な姿勢をとることができる。つまり、ヘッドボード体１５のクッション体２５をリクライニング用として利用することができる。
【００５１】
所定の角度で傾斜した上記クッション体２５は、リンク２３と保持部材２４とによって保持されている。つまり、従来のようにクッション体２５の下端をマットレス９の上面に当てて支持せず、リンク２３と保持部材２４とで所定の角度で傾斜させた状態で保持することができる。
【００５２】
そのため、クッション体２５を傾斜させて利用する際、マットレス９の上面にクッション体２５を介して利用者の荷重を加えることがないから、マットレス９を部分的に早期に損傷させるということをなくすことができる。
【００５３】
しかも、クッション体２５は載置体３の移動に連動して傾斜するとともに、所定の傾斜状態でリンク２３と保持部材２４とによって保持されているから、利用者がクッション体２５に寄り掛かっても、その傾斜状態がずれ動くようなことがない。つまり、クッション体２５を所定の傾斜角度で安定した状態で使用することができる。
【００５４】
クッション体２５を傾斜させる際、利用者はマットレス９の上面側に導出された操作部材３５を引いてストッパ３３をフレーム１に設けられた係止金具３４から外し、マットレス９を介してたとえば臀部などを利用し、載置体３を前進方向へ移動させる力を付与すればよい。
【００５５】
つまり、利用者はマットレス９上で上半身を起こして頭部を頭部クッション２１に当ててストッパ３３を外す。その状態で、下半身を前方へずらすようにすれば、マットレス９とともに上記載置体３を前方へずらすことができる。したがって、クッション体２５を垂直な状態から傾斜させる際、その操作を利用者はマットレス９上から降りることなく行なえるから、非常に使い易く、便利である。
【００５６】
なお、クッション体２５を傾斜させた状態から垂直な状態へ戻す場合には、載置体３を後退方向へ移動させる。その場合、利用者はマットレス９上から降りてマットレス９の先端を後退方向（ヘッドボード体１５側）へ押せばよい。
【００５７】
載置体３を後退方向へ押して移動させると、ストッパ３３の先端の傾斜面がフレーム１の内面に当たる。それによって、ストッパ３３は上昇して上記フレーム１の上端を乗り越えて係止金具３４に係合することになる。つまり、クッション体２５を傾斜状態から起立させるために、載置体３をヘッドボード体１５側へ移動させる際には、上記ストッパ３３を自動的に係止金具３４に係合させることができる。
【００５８】
クッション体２５を傾斜させたとき、このクッション体２５の幅方向両側の開口部分がカバー３０によって覆われる。そのため、クッション体２５を傾斜させたときに、ヘッドボード体１５を構成する固定部１８の前面やクッション体２５の下面側が露出することがないから、外観的にきわめて体裁がよい。
【図面の簡単な説明】
【００５９】
【図１】この発明の一実施の形態を示すクッション体が垂直な状態にあるベッド装置の斜視図。
【図２】クッション体を傾斜させた状態のベッド装置の斜視図。
【図３】クッション体が垂直な状態にあるベッド装置の側断面図。
【図４】クッション体が傾斜した状態にあるベッド装置の側断面図。
【図５】ベッド装置のヘッドボード体側の端部を拡大した断面図。
【符号の説明】
【００６０】
１…フレーム、２…レール部材、３…載置体、５…第１の横桟（第１のストッパ手段）、６…第１の当接部材（第１のストッパ手段）、９…マットレス、１５…ヘッドボード体、１８…固定部、２３…リンク２４…保持部材、２５…クッション体（背凭れ体）、３０…カバー、３３…ストッパ（第２のストッパ手段）、３５…操作部材。
【図１】
2006296787.tif 000003
【図２】
2006296787.tif 000004
【図３】
2006296787.tif 000005
【図４】
2006296787.tif 000006
【図５】
2006296787.tif 000007